(57)【要約】      （修正有）【課題】映像データと音声データが、それぞれ異なる再生装置用としてコンテンツ記録媒体内に記録されている場合においても、コンテンツ再生装置で再生可能にする。【解決手段】コンテンツ記録装置において、コンテンツ記録媒体にコンテンツを記録する時に、再符号化条件のリストをコンテンツ記録媒体内に記録する。また、コンテンツ再生装置においては、再生装置の能力にあった再生データを別々に前記再符号化条件リストから選択することでコンテンツ再生装置の能力にあった再生を可能にする。【選択図】図１
2009088756.tif 000002
【特許請求の範囲】
【請求項１】
コンテンツを格納するコンテンツ格納領域を備え、再生装置に装着されて、前記コンテンツ格納領域に記録されたコンテンツが再生される着脱可能なコンテンツ記録媒体であって、前記コンテンツを格納するコンテンツ格納領域とは別に、前記コンテンツを符号化するための複数の符号化情報を格納するコンテンツ情報管理領域を備えていることを特徴とするコンテンツ記録媒体。
【請求項２】
請求項１に記載のコンテンツ記録媒体において、更に、前記再生装置が前記コンテンツを再生することのできる条件を格納する再生装置能力情報管理領域を備えていることを特徴とするコンテンツ記録媒体。
【請求項３】
請求項２に記載のコンテンツ記録媒体において、前記再生装置がコンテンツを再生することのできる条件には、少なくとも復号処理部の処理性能と出力デバイスの性能が含まれていることを特徴とするコンテンツ記録媒体。
【請求項４】
請求項１から請求項３のいずれかに記載のコンテンツ記録媒体において、前記符号化情報は、符号化された前記コンテンツの再符号化情報であることを特徴とするコンテンツ記録媒体。
【請求項５】
請求項１から請求項３のいずれかに記載のコンテンツ記録媒体において、前記符号化情報には、少なくともビデオの再符号化パラメータとコンテンツを関連付ける情報とオーディオの再符号化パラメータとコンテンツを関連付ける情報が含まれていることを特徴とする記録媒体。
【請求項６】
コンテンツを符号化して着脱可能な記録媒体に記録するコンテンツ記録装置であって、コンテンツ記録時に、前記記録媒体に予め登録されている複数の再生可能条件を読み出す手段と、前記読み出された複数の条件をもとに、コンテンツを符号化する条件を設定する手段と、符号化したコンテンツの符号化情報を記録媒体に記録する手段を備えたことを特徴とするコンテンツ記録装置。
【請求項７】
コンテンツを再符号化して着脱可能な記録媒体に記録するコンテンツ記録装置であって、コンテンツ記録時に、前記記録媒体に予め登録されている複数の再生可能条件を読み出す手段と、前記読み出された複数の条件をもとに、コンテンツを再符号化する条件を設定する手段と、再符号化したコンテンツの再符号化情報を記録媒体に記録する手段を備えたことを特徴とするコンテンツ記録装置。
【請求項８】
着脱可能な記録媒体からコンテンツを再生するコンテンツ再生装置であって、コンテンツ再生時に、前記記録媒体に予め登録されている複数のコンテンツ符号化情報を読み出す手段と、前記読み出された複数の情報から再生装置で再生可能な映像データと音声データを判断する手段と、前記判断したデータをコンテンツから抜き出す手段を備えたことを特徴とするコンテンツ再生装置。
【請求項９】
着脱可能な記録媒体からコンテンツを再生するコンテンツ再生装置であって、コンテンツ再生時に、前記記録媒体に予め登録されている複数のコンテンツ再符号化情報を読み出す手段と、前記読み出された複数の情報から再生装置で再生可能な映像データと音声データを判断する手段と、前記判断したデータをコンテンツから抜き出す手段を備えたことを特徴とするコンテンツ再生装置。
【発明の詳細な説明】
【技術分野】
【０００１】
本発明はデジタルコンテンツ記録／再生装置間で、各再生装置に対応した形式のコンテンツを提供する技術に関する。
【背景技術】
【０００２】
マルチメディア・データ処理システムでは、ＩＳＯ／ＩＥＣのＭＰＥＧ（Ｍｏｖｉｎｇ  Ｐｉｃｔｕｒｅ  Ｅｘｐｅｒｔｓ  Ｇｒｏｕｐ）で規格化されているプログラム・ストリームあるいはトランスポート・ストリーム（以下「ＴＳ」と略記する場合もある）に代表されるように、符号化された映像データおよび音声データが多重化されたデータが入力される。
【０００３】
例えば、ＴＳには、「ＡＴＳＣ  ＤＩＧＩＴＡＬ  ＴＥＬＥＶＩＳＩＯＮ  ＳＴＡＮＤＡＲＤ  Ｄｏｃ。Ａ／５３」や「ＡＴＳＣ  ＤＩＧＩＴＡＬ  ＴＥＬＥＶＩＳＩＯＮ  ＳＴＡＮＤＡＲＤ  Ｄｏｃ。Ａ／５４」、および「ポイント図解式最新ＭＰＥＧ教科書（藤原洋監修：マルチメディア通信研究会編）」や「ポイント図解式実践ＭＰＥＧ教科書（藤原洋監修：マルチメディア通信研究会編）」に記載のように、複数の符号化されたビデオデータおよびオーディオデータがパケット化されて多重化されており、これらはそれぞれに割り当てられたパケットＩＤによって識別される。
【０００４】
近年、大容量、持ち運び可能な記憶媒体（以下「ブリッジメディア（登録商標）」と記載する場合もある）が普及している。これらブリッジメディアの中にも著作権の保護機能を持ったものがあり、デジタルコンテンツの流通に使用されている。例えば、ｉＶＤＲ（Ｉｎｆｏｒｍａｔｉｏｎ  Ｖｅｒｓａｔｉｌｅ  Ｄｉｓｋ  ｆｏｒ  Ｒｅｍｏｖａｂｌｅ  ｕｓａｇｅ：リムーバブルハードディスク）の場合には、コンテンツ保護技術としてＳＡＦＩＡ（Ｓｅｃｕｒｉｔｙ  Ａｒｃｈｉｔｅｃｔｕｒｅ  Ｆｏｒ  Ｉｎｔｅｌｌｉｇｅｎｔ  Ａｔｔａｃｈｍｅｎｔ  ｄｅｖｉｃｅ）が採用され、コンテンツはトランスポート・ストリームの形式で記録されている。
【０００５】
これらブリッジメディア（登録商標）は、パーソナルコンピュータ、ハードディスク・レコーダ、デジタルビデオカメラ、デジタルカメラ、オーディオプレーヤ、カーナビ、携帯電話等、様々なコンテンツ再生装置で記録・再生することが可能である。しかしながら、再生装置によっては、コンテンツを再生するのに十分な処理性能がない、ビデオ・オーディオのフォーマットに対応していない、ビデオ・オーディオの出力デバイスの性能が足りない等の制約でコンテンツを再生できない場合がある。
【０００６】
上記理由にて再生装置でコンテンツを再生する場合には、予めコンテンツ記録装置側で再生可能な形に変換する必要がある。
【０００７】
このため、例えば特許文献１に示される記録媒体、コンテンツ記録・再生システム、コンテンツ再生装置、コンテンツ記録装置、およびコンテンツ再符号化装置では、コンテンツ再生装置がコンテンツを再生できるために必要な情報を前もって記録媒体に記録することにより、コンテンツ記録装置は記録媒体に記録された情報に基づき、コンテンツに対して符号化等の処理を行い、記録媒体に記録する。再生装置では記録媒体に記録された再生条件から再生装置にあったコンテンツを選択することでコンテンツ再生を可能にすることができる。
【特許文献１】国際公開２００３／０４２９１５号公報
【発明の開示】
【発明が解決しようとする課題】
【０００８】
上述の従来技術では、ブリッジメディア（登録商標）内のコンテンツを再生する為には、ブリッジメディア（登録商標）内の能力管理領域に記録された再生装置の能力テーブルに、再生しようとする装置で再生可能な能力以下の能力テーブルが登録されている必要がある。
【０００９】
ここで、再生しようとする装置のもつ能力に対してビデオの再生が可能でオーディオの再生が不可能な能力テーブルＡと、オーディオの再生が可能でビデオの再生が不可能な能力テーブルＢの２種類の能力テーブルがブリッジメディア（登録商標）内に記録されている場合、能力テーブルＡのビデオデータと能力テーブルＢのオーディオデータを使用すればコンテンツを再生することが可能であったとしても再生することができず、新たに能力管理領域に再生機器の能力テーブルを追加して、再度コンテンツ記録装置において再符号化処理を行う必要がある。
【００１０】
さらに、再符号化処理を行う装置によっては、細かなパラメータ設定をすることが出来ず、再生装置の能力テーブルに記述されている能力よりも低い能力のコンテンツを作成して記録することがある。ここで、該ブリッジメディア（登録商標）を別の再生能力の低い再生装置で再生しようとした場合、記録されているコンテンツ自体は再生可能な能力で記録されているにもかかわらず、能力テーブルには高い能力として記録されているために再生不可能と判断してしまうことがある。
【課題を解決するための手段】
【００１１】
本発明のコンテンツ記録媒体は、コンテンツを格納する領域を備え、再生装置に装着して、前記領域に記録されたコンテンツを再生する着脱可能なコンテンツ記録媒体であって、前記コンテンツを格納する領域とは別に、前記コンテンツの符号化情報を格納する領域を備えていることを特徴とする。
また、本発明のコンテンツ記録装置においては、コンテンツ記録時に、前記記録媒体に予め登録されている複数の再生可能条件を読み出す手段と、前記読み出された複数の条件をもとに、コンテンツを符号化する条件を設定する手段と、符号化したコンテンツの符号化情報を記録媒体に記録する手段を備えたことを特徴とする。
更に、本発明のコンテンツ再生装置においては、コンテンツ再生時に、前記記録媒体に予め登録されている複数のコンテンツ符号化情報を読み出す手段と、前記読み出された複数の情報から再生装置で再生可能な映像データと音声データを判断する手段と、前記判断したデータをコンテンツから抜き出す手段を備えたことを特徴とする。
【発明の効果】
【００１２】
本発明によれば、再生装置の能力にあった映像データと音声データが、それぞれ異なる再生装置用としてコンテンツ記録媒体内に記録されている場合においても、コンテンツ再生装置で再生することが可能となる。例えば、初めて使用するコンテンツ再生機器にコンテンツ記録媒体を挿入した場合においても、再生装置のビデオ能力とオーディオ能力を満たすならば、コンテンツの再符号化処理を行うことなく再生することが可能となり、再符号化処理の実施を削減する効果がある。
【００１３】
また、再生装置の複数のビデオ再生条件が同等の場合や、複数のオーディオ再生条件が同等の場合には、再符号化データを共有化することでコンテンツを再符号化する処理量を削減でき、コンテンツ記録媒体内に記録するコンテンツの総容量も削減できるという効果がある。
【発明を実施するための最良の形態】
【００１４】
以下、本発明の実施の形態について、図面を用いて説明する。
【実施例１】
【００１５】
本実施の形態１において用いるコンテンツ記録媒体１００を図１に示す。コンテンツ記録媒体１００は、後述するコンテンツ再生装置能力テーブル４００の情報を記録した再生装置能力情報管理領域１０１と、記録装置によって作成されたコンテンツを格納するコンテンツ記録領域１０２と、記録装置によって作成されたコンテンツ情報管理領域１０３を有している。
【００１６】
本実施の形態１におけるコンテンツ再符号化装置２００を図２に示す。コンテンツ再符号化装置２００は、再生装置能力テーブル読み出し部２０１、ビデオ能力解析部２０２、オーディオ能力解析部２０３、番組コンテンツ記録部２０４、番組コンテンツ読み出し部２０５、コンテンツ分離部２０６、ビデオ再符号部２０７、オーディオ再符号部２０８、多重化部２０９、コンテンツ記録部２１０で構成されている。
【００１７】
本実施の形態１におけるコンテンツ再生装置を図３に示す。コンテンツ再生装置は、コンテンツ能力読取り部３０１、再生コンテンツ判定部３０２、ＴＳ分離部３０３、ビデオ復号部３０４、映像出力部３０５、オーディオ復号部３０６、音声出力部３０７で構成されている。
【００１８】
コンテンツ再符号化装置２００でコンテンツを再符号化し、コンテンツ記録媒体１００にコンテンツを記録し、コンテンツ再生装置３００でコンテンツを再生する方法に関して説明する。
【００１９】
コンテンツ再生装置３００にてコンテンツ記録媒体１００を挿入し、再生装置能力情報管理領域１０１にコンテンツ再生装置内のビデオ復号処理部のビデオ再生能力データ、ビデオ出力部の映像出力能力データ、オーディオ復号処理部のオーディオ再生能力データ、オーディオ出力部の音声出力能力データを含むコンテンツ再生装置能力テーブル４００記録する。図４に再生装置能力情報テーブル４００の一例を示す。この再生装置能力情報管理領域１０１はユーザがアクセス可能な領域であってもよく、その場合にはユーザによって編集が可能である。
【００２０】
次にコンテンツ再符号化装置２００にコンテンツ記録媒体１００を挿入する。再生装置能力読み出し部２０１では、コンテンツ記録媒体１００内の再生装置能力情報管理領域１０１に記録されているコンテンツ再生装置能力テーブル４００をユーザの指示に従って読み出す。
【００２１】
ビデオ能力解析部２０２では、ユーザによって選択された一つ以上のコンテンツ再生装置能力テーブル４００から再生装置毎のビデオ再生能力データと映像出力能力データを抜き出し、再生に必要なビデオパラメータリスト５００を作成する。この時に、同定のパラメータが存在した場合には一つのパラメータに纏めておく。作成したビデオパラメータリスト５００には、ビデオデータを再符号処理する為のパラメータとＰＥＳ（Ｐａｃｋｅｔｉｚｅｄ  Ｅｌｅｍｅｎｔａｒｙ  Ｓｔｒｅａｍ）パケット変換時に必要なパケットのＩＤ（ＰＩＤ）を含んでいる。
【００２２】
オーディオ能力解析部２０３では、ユーザによって選択された一つ以上のコンテンツ再生装置能力テーブル４００から再生装置毎のオーディオ再生能力データと音声出力能力データを抜き出し、再生に必要なオーディオパラメータリスト６００を作成する。この時に、同定のパラメータが存在した場合には一つのパラメータに纏めておく。作成したオーディオパラメータリスト６００には、オーディオデータを再符号処理する為のパラメータとＰＥＳパケット変換時に必要なＰＩＤを含んでいる。
【００２３】
番組コンテンツ読み出し部２０５では、ユーザから指定された番組コンテンツを番組コンテンツ記録部２０４から読み出す。この場合、コンテンツ再符号化装置２００内の記録部からのみ読み出すのではなく、コンテンツ記録媒体１００内のコンテンツ記録領域１０２から読み出しても良い。
【００２４】
コンテンツ分離部２０６では、前記番組コンテンツを映像データと音声データに分離する。ビデオ再符号部２０７では、分離された映像データをビデオパラメータリスト５００に従って再符号処理を行い、ビデオパラメータリスト５００内のＰＩＤに従ってＰＥＳパケット化を行うことで、複数の再符号化されたビデオＰＥＳパケットを作成する。
【００２５】
オーディオ再符号部２０８では、分離された音声データをオーディオパラメータリスト６００に従って再符号処理を行い、オーディオパラメータリスト６００内のＰＥＳに従ってＰＥＳパケット化を行うことで、複数の再符号化されたオーディオＰＥＳパケットを作成する。
【００２６】
なお、番組コンテンツ記録部２０４に記録されているコンテンツが既に符号化されているときには、符号化されたコンテンツがコンテンツ分離部２０６で映像データと音声データに分離・伸張され、ビデオ再符号部２０７とオーディオ再符号部２０８で再符号化がなされるが、番組コンテンツ記録部２０４に記録されているコンテンツが符号化されていない場合には、ビデオ再符号部２０７とオーディオ再符号部２０８で符号化を行うように変更することができる。
【００２７】
多重化部２０９では、複数のビデオＰＥＳデータと複数のオーディオＰＥＳデータに対して多重化処理を行い、一つのトランスポート・ストリームを作成する。
【００２８】
コンテンツ記録部２１０では、上記トランスポート・ストリームをブリッジメディア（登録商標）１００内のコンテンツ記録領域１０２に記録し、ビデオパラメータリスト５００とオーディオパラメータリスト６００をコンテンツ情報管理領域１０３に記録する。
【００２９】
次にコンテンツ再生装置３００にコンテンツ記録媒体１００を挿入する。コンテンツ能力読取り部３０１では、コンテンツ記録媒体１００内のコンテンツ情報管理領域１０３に記録されているコンテンツのビデオパラメータリスト５００とオーディオパラメータリスト６００を読み取る。
【００３０】
再生コンテンツ判定部３０２では、コンテンツ再生装置３００内のビデオ復号部３０５と映像出力部３０６の性能からビデオパラメータリスト５００内の復号処理可能なビデオＰＥＳパケットのＰＩＤを決定し、オーディオ復号部３０７と音声出力部３０８の性能からオーディオパラメータリスト６００内の復号処理可能なオーディオＰＥＳパケットのＰＩＤを決定する。
【００３１】
コンテンツ読取り部３０３では、コンテンツ記録媒体１００内のコンテンツ記録領域１０２に記録されているコンテンツを読取る。
【００３２】
ＴＳ分離部３０４では、読取ったトランスポート・ストリームから再生コンテンツ判定部３０３で判定したビデオＰＩＤとオーディオＰＩＤを使ってビデオＰＥＳパケットとオーディオＰＥＳパケットを抜き出す。
【００３３】
ビデオ復号部３０５で、ＴＳ分離部３０４で抜出されたビデオＰＥＳパケットを復号し、映像出力部３０６にてコンテンツのビデオの出力を行う。
【００３４】
オーディオ復号部３０７では、ＴＳ分離部３０４で抜出されたオーディオＰＥＳパケットを復号し、音声出力部３０８にてコンテンツのオーディオの出力を行う。
【００３５】
以上説明したように、実施例１においては、再符号化で使用したパラメータリストから復号可能かを判断する為、コンテンツ記録媒体１００を初めて挿入したコンテンツ再生装置３００においても再生可能なビデオパラメータリスト５００とオーディオパラメータリスト６００が登録されていればコンテンツを再生することが可能である。
【００３６】
また、再符号化する前に同定の再符号化条件を纏める為、再符号化に要する処理量を削減でき、コンテンツ記録媒体１００内に記録するコンテンツの総容量も削減できる。
【図面の簡単な説明】
【００３７】
【図１】図１は本発明の実施の形態におけるコンテンツ記録媒体を示す図である。
【図２】図２は本発明の実施の形態におけるコンテンツ再符号化装置を示す図である。
【図３】図３は本発明の実施の形態におけるコンテンツ再生装置を示す図である。
【図４】図４は本発明の実施の形態における再生装置能力情報テーブルの一例を示す図である。
【図５】図５は本発明の実施の形態におけるビデオパラメータリストの一例を示す図である。
【図６】図６は本発明の実施の形態におけるオーディオパラメータリストの一例を示す図である。
【符号の説明】
【００３８】
１００    コンテンツ記録媒体
１０１    再生装置能力情報管理領域
１０２    コンテンツ記録領域
１０３    コンテンツ情報管理領域
２００    コンテンツ再符号化装置
２０１    再生装置能力読み出し部
２０２    ビデオ能力解析部
２０３    オーディオ能力解析部
２０４    番組コンテンツ記録部
２０５    番組コンテンツ読み出し部
２０６    コンテンツ分離部
２０７    ビデオ再符号部
２０８    オーディオ再符号部
２０９    多重化部
２１０    コンテンツ記録部
３００    コンテンツ再生装置
３０１    コンテンツ能力読取り部
３０２    再生コンテンツ判定部
３０３    コンテンツ読み出し部
３０４    ＴＳ分離部
３０５    ビデオ復号部
３０６    映像出力部
３０７    オーディオ復号部
３０８    音声出力部
４００    コンテンツ再生装置能力テーブル
５００    ビデオパラメータリスト
６００    オーディオパラメータリスト
【図１】
2009088756.tif 000003
【図２】
2009088756.tif 000004
【図３】
2009088756.tif 000005
【図４】
2009088756.tif 000006
【図５】
2009088756.tif 000007
【図６】
2009088756.tif 000008